(57)【要約】【課題】インターホンの玄関機と玄関階乗場機の入力による２重照合が不成立でも救済措置が受けられ、より円滑なサービスが行えるエレベータの運転制御システムを提供する。【解決手段】玄関機１１に入力された部屋番号に従って住居機１３との通話を可能にして住居機から玄関自動ドア１のロック解除信号が入力された後、所定の制限時間内に玄関階乗場機１２に部屋番号が入力されかつ双方の部屋番号を照合し一致した時に、登録制限された玄関階の乗場呼びを一時解除して自動登録する２重照合による呼び登録制限手段１４，１５，２１と、制限時間内に２重照合が成立しなかった場合に、所定の猶予時間を加算した延長された制限時間まで２重照合による呼び登録を続ける救済措置制御手段１４，１５，２１と、を備えた。【選択図】図１
2008207919.tif 000002
【特許請求の範囲】
【請求項１】
インターホンシステムの、集合住宅の外側に設置されると共に玄関自動ドアを制御する玄関機、集合住宅内のエレベータの玄関階乗場に設置された玄関階乗場機及び集合住宅の住居内に設置された住居機と、前記玄関機、玄関階乗場機及び住居機に接続された、玄関機制御装置及びエレベータ制御盤を含む運転制御部と、を備え、前記運転制御部が、
前記玄関機に入力された部屋番号に従って住居機との通話を可能にして住居機から前記玄関自動ドアのロック解除信号が入力された後、所定の制限時間内に前記玄関階乗場機に部屋番号が入力されかつ双方の部屋番号を照合し一致した時に、登録制限された玄関階の乗場呼びを一時解除して自動登録する２重照合による呼び登録制限手段と、
前記制限時間内に２重照合が成立しなかった場合に、所定の猶予時間を加算した延長された制限時間まで２重照合による呼び登録を続ける救済措置制御手段と、
を備えたことを特徴とするエレベータの運転制御システム。
【請求項２】
救済措置制御手段において、延長された制限時間内に２重照合が成立した場合に、２重照合による呼び登録制限手段における住居機への通話を再度可能にして新たに住居機から玄関自動ドアのロック解除信号を受けた後に、２重照合による呼び登録制限手段に玄関階の乗場呼びの自動登録を行わせるデータを送ることを特徴とする請求項１に記載のエレベータの運転制御システム。
【請求項３】
２重照合による呼び登録制限手段において部屋番号は一致したが制限時間を超過してしまった場合に、救済措置制御手段は、玄関自動ドアのロック解除信号を受けると、２重照合による呼び登録制限手段に玄関階の乗場呼びの自動登録を行わせるデータを送ることを特徴とする請求項２に記載のエレベータの運転制御システム。
【請求項４】
エレベータ制御盤に接続されに表示器及びアナウンス装置の少なくとも一方が玄関階乗場に設置され、２重照合による呼び登録制限手段において部屋番号の一致がないまま又は玄関階乗場機から部屋番号の入力がないまま制限時間を超過してしまった場合に、救済措置制御手段において住居機から玄関自動ドアのロック解除信号を受けた後に、前記表示器及びアナウンス装置を駆動して前記玄関階乗場機への部屋番号の入力を促す表示、アナウンスをそれぞれ行わせ、前記玄関階乗場機に入力された部屋番号と先に玄関機に入力された部屋番号とを照合し、一致すると前記２重照合による呼び登録制限手段に玄関階の乗場呼びの自動登録を行わせるデータを送る乗場表示・アナウンス制御手段を運転制御部がさらに備えたことを特徴とする請求項２に記載のエレベータの運転制御システム。
【発明の詳細な説明】
【技術分野】
【０００１】
この発明は、エレベータの運転制御システム、特にインターホンシステムと組み合わされたものに関する。
【背景技術】
【０００２】
この種のシステムとして例えば、例えば来訪者が１階に設置された集合玄関インターホンで訪問先の住戸番号を入力して呼び出し操作を行うと、通話制御装置を介して呼び出された住戸の住戸インターホンとの接続が行われて、来訪者および居住者との間で通話が可能となり、また、居住者が住戸インターホンでの共同玄関ドアの解錠操作を行うと、ドア制御装置により共同玄関ドアの電気錠が解錠されるとともに共同玄関ドアが開放されて、来訪者が集合住宅内に入館可能となり、また居住者が集合玄関インターホンにより共同玄関ドアの解錠操作を行った場合にも、ドア制御装置により共同玄関ドアの電気錠が解錠されるとともに共同玄関ドアが開放されて、居住者が集合住宅内に入館可能となるものがある(例えば特許文献１参照)。
【０００３】
【特許文献１】特開２０００−１９１２４６号公報
【発明の開示】
【発明が解決しようとする課題】
【０００４】
このようなシステムにおいては、集合住宅玄関の外側に設けられた集合玄関インターホンの他に、集合住宅内の玄関階のエレベータ乗場に玄関階乗場インターホンを設け、双方のインターホンでの入力の一致や入力時刻の時間差を条件に、乗場呼び登録を許可する２重照合機能を有するものがある。このような２重照合機能は、エレベータの呼び登録が不許可と判定された場合、救済手段が無かった。
【０００５】
このために特に来訪者が老人や身障者等の場合には、集合玄関インターホンから玄関階乗場インターホンに到着するのに時間がかかる可能性があり、登録制限時間のタイムオーバによる２重照合不成立により、乗場呼びが登録されないケースが発生することが懸念される。従来のシステムでは一旦、２重照合が不成立となった場合は、再び集合玄関インターホンに戻り、最初から入力手続きを行う必要があり、来訪者が混乱する可能性があった。
【０００６】
この発明は、集合玄関にあるインターホン玄関機及び玄関階乗場にあるインターホン玄関階乗場機での入力による２重照合を行うエレベータの運転制御システムにおいて、２重照合が不成立になっても、救済措置が受けられるようにして、より円滑なエレベータかごのサービスが行えるエレベータの運転制御システムを提供することを目的とする。
【課題を解決するための手段】
【０００７】
この発明は、インターホンシステムの、集合住宅の外側に設置されると共に玄関自動ドアを制御する玄関機、集合住宅内のエレベータの玄関階乗場に設置された玄関階乗場機及び集合住宅の住居内に設置された住居機と、前記玄関機、玄関階乗場機及び住居機に接続された、玄関機制御装置及びエレベータ制御盤を含む運転制御部と、を備え、前記運転制御部が、前記玄関機に入力された部屋番号に従って住居機との通話を可能にして住居機から前記玄関自動ドアのロック解除信号が入力された後、所定の制限時間内に前記玄関階乗場機に部屋番号が入力されかつ双方の部屋番号を照合し一致した時に、登録制限された玄関階の乗場呼びを一時解除して自動登録する２重照合による呼び登録制限手段と、前記制限時間内に２重照合が成立しなかった場合に、所定の猶予時間を加算した延長された制限時間まで２重照合による呼び登録を続ける救済措置制御手段と、を備えたことを特徴とするエレベータの運転制御システムにある。
【発明の効果】
【０００８】
この発明では、２重照合が不成立になっても、救済措置が受けられるようにすることで、より円滑なエレベータかごのサービスが提供できる。
【発明を実施するための最良の形態】
【０００９】
実施の形態１．
図１はこの発明の一実施の形態によるエレベータの運転制御システムの構成を示す図である。集合住宅の玄関自動ドア１の外側には、来訪者が集合住宅の住居内にあるインターホンシステムの住居機１３により住人と通話できるように、インターホンシステムの玄関機１１が設置されている。玄関機１１はテンキーＴＫを備えると共に、監視室にある玄関機制御装置１４を介して住居機１３に接続されている。玄関機１１はまた、玄関自動ドア１の制御装置(図示せず)に接続されてオートロックのロック解除指令を入力する。住居機１３はこの玄関自動ドア１のオートロックを解除させるロック解除釦１３ａを備える。
【００１０】
集合住宅内の玄関階におけるエレベータ乗場のエレベータドア２２付近には、玄関機１１との２重照合を行うために玄関階乗場機１２が設置されている。玄関階乗場機１２は玄関機制御装置１４に接続され、またテンキーＴＫを備える。エレベータドア２２付近にはさらに、乗場呼びを登録制限された乗場釦２３があり、２重照合が成立した時や所定条件が満たされた時のみ、登録制限されているエレベータの呼びを一時解除し、自動登録する。
【００１１】
エレベータドア２２付近にはさらに、来訪者に２重照合操作をスムーズに行わせるため表示器２５、アナウンス装置２４が設置されている。乗場釦２３、アナウンス装置２４、表示器２５は機械室又は昇降路に設けられたエレベータ制御盤２１に接続され、エレベータ制御盤２１は玄関機制御装置１４に、監視室にあるセキュリティインターフェース(Ｉ／Ｆ)ユニット１５を介して接続されている。
【００１２】
なお、玄関機制御装置１４、セキュリティＩ／Ｆユニット１５、エレベータ制御盤２１からなる部分を運転制御部とする。
【００１３】
図２から図３には図１のシステムの動作を説明するためのフローチャートを示し、以下これに従って動作を説明する。
【００１４】
図２のステップＳ１〜Ｓ１０及び図３のステップＳ１１〜Ｓ１７に相当する２重照合呼び登録制限処理(２重照合呼び登録制限手段１０１)において、玄関機１１のテンキーＴＫが操作されて部屋番号が入力されると、ＣＰＵ及びメモリを内蔵した玄関機制御装置１４に信号が転送され、玄関機制御装置１４はこの信号を部屋番号データ(Ａ)として読取、記憶する(Ｓ１)。玄関機制御装置１４は、部屋番号データ(Ａ)に従って訪問先住居内の住居機１３ヘインターホンで通話呼出しを行う(Ｓ２)。これにより住人と通話状態になり、住人がロック解除釦１３ａを押すと、住居機１３からロック解除信号(１)が入力され、これを検出すると(Ｓ３)、玄関自動ドア１のオートロック解除をする信号を玄関機１１へ送る(Ｓ４)。またこれと同時に玄関機制御装置１４内でタイマーカウントを開始する(Ｓ５)。
【００１５】
オートロック解除信号を受けた玄関機１１は、玄関自動ドア１の制御装置にオートロック解除指令を入力し、これによりオートロックが解除された玄関自動ドア１は例えば別途設けられたセンサ(図示省略)が来訪者を検出することで開放されて、来訪者は集合住宅内に入ることができる。
【００１６】
次に、集合住宅内に入った来訪者により玄関階乗場機１２のテンキーＴＫが操作されて部屋番号が入力された場合には、玄関機制御装置１４に信号が転送され、玄関機制御装置１４はこの信号を部屋番号データ(Ｂ)として読取、記憶する(Ｓ６)。そして部屋番号データ(Ｂ)と先に記憶された部屋番号データ(Ａ)との照合を行い(Ｓ７)、双方が一致((Ａ)＝(Ｂ))した時点でタイマーカウントを終了する(Ｓ８)。そしてカウント時間が玄関機１１と玄関階乗場機１２の距離換算により予め設定された所定の２重照合登録制限時間Ｘ秒以内にあるか否かを判定する(Ｓ９)。
【００１７】
ステップＳ９でカウント時間がＸ秒以内であれば、玄関機制御装置１４は訪問先の階床データをセキュリティＩ／Ｆユニット１５へ転送する(Ｓ１０)。この際、玄関機制御装置１４は例えば、ステップＳ３におけるロック解除信号(１)を送った住居機１３を記憶しておき、これに基づいて訪問先の階床を判断する。また、部屋番号(データ)と階床の対照表をメモリに格納しており、先に入力された部屋番号データから階床を求めてもよい。一方、カウント時間がＸ秒を超過した場合、後述の救済措置制御に移行する。
【００１８】
カウント時間がＸ秒以内の場合、図３に示すように、ＣＰＵ及びメモリを内蔵したセキュリティＩ／Ｆユニット１５は、玄関機制御装置１４から階床データが転送されるとこれを読取、記憶し(Ｓ１１)、さらにこの階床データをプロトコル変換し(Ｓ１２)、エレベータ呼び登録許可信号としてＣＰＵ及びメモリを内蔵したエレベータ制御盤２１へ転送する(Ｓ１３)。
【００１９】
エレベータ制御盤２１はセキュリティＩ／Ｆユニット１５から呼び登録許可信号が転送されるとこれを読取、記憶し(Ｓ１４)、玄関階の乗場呼びの登録制限を一時解除し、乗場釦２３による呼び、すなわち玄関階乗場呼びを自動登録すると同時に、乗場釦２３の釦灯を点灯させ、玄関階にかごを割当てる(Ｓ１５)。そして割当かごを玄関階に走行させ(Ｓ１６)、割当かごが玄関階に到着すると、訪問先の居住階のかご呼びの登録制限を一時解除し、訪問先の居住階のかご呼びを自動登録する(Ｓ１７)。そしてエレベータドア２２の戸開後、来訪者がかごに乗車すると戸閉し、かごを訪問先住居階へ走行させる。
【００２０】
一方、図２のステップＳ９で、カウント時間が２重照合登録制限時間Ｘ秒を超過している場合、又はステップＳ７で部屋番号データ(Ａ)と(Ｂ)が不一致で、タイマーカウントが継続されカウント時間が２重照合登録制限時間Ｘ秒を超えた場合(Ｓ７ａ)、あるいは玄関階乗場機１２への部屋番号入力がないまま２重照合登録制限時間Ｘ秒を超えた場合(図示省略)、玄関機制御装置１４は図２のステップＳ２０〜Ｓ２６からなる救済措置制御処理(救済措置制御手段１０２)に移行し、２重照合登録制限時間Ｘ秒に猶予時間Ｙ秒を加算し延長登録制限時間(Ｘ＋Ｙ)秒とし、再びカウント時間の延長登録制限時間(Ｘ＋Ｙ)との比較演算を行う(Ｓ２０)。
【００２１】
比較の結果、カウント時間が延長登録制限時間(Ｘ＋Ｙ)秒以内であれば(Ｓ２１)、訪問先の住居機１３へのインターホン通話呼出モードに自動切替する(Ｓ２２)。(Ｘ＋Ｙ)秒を超過してしまっている場合は、部屋番号データ等を抹消し(Ｓ２３)、タイマーカウントをリセットして処理を終了する(Ｓ２４)。
【００２２】
ステップＳ２２でインターホン通話呼出モードに切替えられると、玄関階乗場機１２と訪問先の住居機１３の間で住人とインターホン通話が行える。住人がロック解除釦１３ａを押すと住居機１３からロック解除信号(２)が玄関機制御装置１４に転送され、玄関機制御装置１４はこれを検出して記憶する(Ｓ２５)。ここで住居機１３からロック解除信号をもらうのは、防犯上、常に住人からのロック解除信号が必要であり、来訪者が違う人物である可能性もあり、住人の再許可なしでは、エレベータは使用不可となる。
【００２３】
その後、２つのケースがあり、例えばすでに玄関階乗場機１２から玄関機制御装置１４に部屋番号データ(Ｂ)の入力があり部屋番号データ(Ａ)と一致したが、制限時間Ｘを超過してしまっていた場合にはケース１を選択し、玄関機制御装置１４は、先に記憶したロック解除信号(２)を出力した住居機１３から訪問先の階床を求め(先に記憶した部屋番号でも可)、訪問先の階床データをセキュリティＩ／Ｆユニット１５ヘ転送する(Ｓ１０)。これ以降はステップＳ１１〜Ｓ１７と同様である。
【００２４】
また玄関階乗場機１２から部屋番号データ(Ｂ)の入力がないまま又は部屋番号データ(Ｂ)の入力があったが部屋番号データ(Ａ)と一致しないまま制限時間Ｘを超過してしまった場合はケース２を選択し、玄関機制御装置１４は住居機１３からのロック解除信号(２)をＣＰＵに記憶すると、玄関階乗場機１２のテンキーＴＫによる部屋番号の再登録が必要となり、これによる再登録判定モードが選択される(Ｓ２６)。玄関機制御装置１４は、来訪者に玄関階乗場機１２におけるテンキーＴＫでの部屋番号の入力を促すための乗場表示・アナウンス処理に移行する。
【００２５】
再登録判定モードを選択すると図３のステップＳ３０〜Ｓ３９からなる乗場表示・アナウンス制御処理(乗場表示・アナウンス制御手段１０３)が有効となり、玄関機制御装置１４は、テンキー再登録情報表示信号をセキュリティＩ／Ｆユニット１５に転送する(Ｓ３０)。
【００２６】
セキュリティＩ／Ｆユニット１５はこれをテンキー再登録情報表示信号データとして読取、記憶する(Ｓ３１)。そしてこのテンキー再登録情報表示信号データをプロトコル変換し(Ｓ３２)、テンキー再登録情報表示指令信号としてエレベータ制御盤２１へ転送する(Ｓ３３)。
【００２７】
エレベータ制御盤２１はセキュリティＩ／Ｆユニット１５からテンキー再登録情報表示指令信号が転送されるとこれを読取、記憶する(Ｓ３４)。そしてエレベータ制御盤２１のＣＰＵ演算プログラムにより、玄関階乗場の表示器２５、アナウンス装置２４に制御信号を出力して駆動させ(Ｓ３５)、来訪者に玄関階乗場機１２のテンキーＴＫを操作して部屋番号を入力することを促すための表示、アナウンス(鳴動)をさせる(Ｓ３６)。
【００２８】
これにより来訪者により玄関階乗場機１２のテンキーＴＫが操作されて部屋番号が入力されると、玄関機制御装置１４に信号が転送され、玄関機制御装置１４はこの信号を部屋番号データ(Ｃ)として読取、記憶する(Ｓ３７)。そして部屋番号データ(Ｃ)と先に記憶された部屋番号データ(Ａ)との照合を行い(Ｓ３８)、双方が一致((Ａ)＝(Ｃ))すれば、玄関機制御装置１４は、ロック解除信号(２)が入力された住居機１３のデータ、又は先に入力された部屋番号データを元に住人すなわち訪問先の階床データをセキュリティＩ／Ｆユニット１５へ転送する(Ｓ３９)。これ以降はステップＳ１１〜Ｓ１７と同様である。
【００２９】
また、ステップＳ３８で部屋番号データ(Ａ)と(Ｃ)が不一致であれば、部屋番号データ等を抹消し(Ｓ４０)、タイマーカウントをリセットして処理を終了する(Ｓ４１)。
【００３０】
なお、上述のケース１とケース２の選択条件はこれに限定されるものではない。
【図面の簡単な説明】
【００３１】
【図１】この発明の一実施の形態によるエレベータの運転制御システムの構成を示す図である。
【図２】図１のシステムの動作を説明するためのフローチャートである。
【図３】図２に続く図１のシステムの動作を説明するためのフローチャートである。
【符号の説明】
【００３２】
１  玄関自動ドア、１１  玄関機、１２  玄関階乗場機、１３  住居機、１３ａ  ロック解除釦、１４  玄関機制御装置、１５  セキュリティＩ／Ｆユニット、２１  エレベータ制御盤、２２  エレベータドア、２３  乗場釦、２４  アナウンス装置、２５  表示器、１０１  ２重照合による呼び登録制限手段、１０２  救済措置制御手段、１０３  乗場表示・アナウンス制御手段、ＴＫ  テンキー。
【図１】
2008207919.tif 000003
【図２】
2008207919.tif 000004
【図３】
2008207919.tif 000005